(57)【要約】      （修正有）【課題】寝たきりの方や車いすを利用する方の負担を和らげ、カットした髪が飛散することを防ぎ、カット後の掃除が簡単にできるえりまき・カットラップを提供する。【解決手段】ゴム入りの立ち襟２で、首の太さに合わせて、ゴム７を絞り、ストッパー８で固定する襟（ａ襟）、平行四角形の中心に円形の穴をあけたシート（Ａシート）、平行四角形の縦横の辺に平行する正方形の穴をあけ、更に４カ所の内側の角から外側の角に向かい切れ込みを入れたポケット部分に使用するシート（Ｂシート）、前身ごろの開閉用に使用するホックボタンのオスが付いたシート（Ｃシート）、同じくメスが付いたシート（Ｄシート）、Ａシートの円形の穴から直線に切断された部分の左端にＤシート、右端にＣシートを縦にして縫製し、ホックのオスとメスが結合できるようにして前身ごろの開閉部分とし、ＡシートにＢシートを重ねて外辺の縦横を結合縫製して連なったポケット部分とし、Ａシートの円形穴にａ襟を結合縫製してなる。【選択図】図１
0003208615.tif 000002
【実用新案登録請求の範囲】
【請求項１】
（１）ゴム入りの立ち襟で首に巻きつけ、首の太さに合わせて、ゴムを絞り、ストッパーで固定する襟（以下ａ襟とする）、
（２）縦１４０ｃｍ、横１２０ｃｍの平行四角形シートの片方の横辺の中心点から垂直に６０ｃｍの箇所を基点として、反対側の横辺に垂直になるように直線で６０ｃｍまで切断。更にその基点を中心とした直径２０センチの円形の穴をあけた化学繊維製シート（以下Ａシートとする）、
（３）縦１４０ｃｍ、横１２０ｃｍの平行四角形シートの横辺の中心点から垂直に６０ｃｍの箇所を基点とし、縦横の辺に平行する縦横５０ｃｍの正方形の穴をあけ、更に４カ所の内側の角から外側の角に向かい直線で約３０ｃｍの切れ込みを入れたポケット部分に使用するシート（以下Ｂシートとする）、
（４）縦５０ｃｍ横５ｃｍのシートに前身ごろの開閉用に使用するホックボタンのオスが縦一列１２ｃｍ間隔で付いたシート（以下Ｃシートとする）、
（５）縦５０ｃｍ横５ｃｍのシートに前身ごろの開閉用に使用するホックボタンのメスが縦一列１２ｃｍ間隔で付いたシート（以下Ｄシートとする）、
（６）Ａシートの円形の穴から直線に切断された部分の左端にＤシート、右端にＣシートを縦にして縫製し、ホックのオスとメスが結合できるようにして前身ごろの開閉部分とし、ＡシートにＢシートを重ねて外辺の縦横を結合縫製して連なったポケット部分とし、Ａシートの円形穴にａ襟を結合縫製して本体を形成、
以上の（１）〜（６）の構成からなる平行四角形の介護用カットクロスのえりまき・カットラップ
【請求項２】
ゴム入りの立ち襟を首の太さに合わせてしぼり、ストッパーで固定することにより首筋に密着し、寝ている状態でも首への締め付け感を軽減すると同時にカットした髪が衣服内に浸入することを防ぐ効果があることを特徴とする請求項１記載の介護用カットクロスのえりまき・カットラップ
【請求項３】
かぶり形式であるカットシートの前身ごろの開閉手段にマジックテープを使用せず、ホックにすることで結合部分に髪の毛や汚れの付着を防ぎ、耐久性の向上と衛生面の解決を図っていることを特徴とする請求項１記載の介護用カットクロスのえりまき・カットラップ
【請求項４】
寝たきりの方がベッドや布団上で横になったままの状態においては、正方形の連なったポケットにカットした髪を収納することができ、布団やシーツ、ベッド周りを汚さずに施術ができる。又車いすに座ったままでの使用においては、ポケット部分を完全に外側へ折り返すことで利用者の足の先まで覆うことを特徴とする請求項１記載の介護用カットクロスのえりまき・カットラップ
【請求項５】
使用方法として、ベッドに寝たきりの方への使用や車いすを利用する方への使用に併用できることを特徴とする請求項１記載の介護用カットクロスのえりまき・カットラップ
【考案の詳細な説明】
【技術分野】
【０００１】本考案は、介護分野において、寝たきりの方や車いすを利用する方へ使用することにより、身体の移動などに伴う負担を和らげ、カットした髪が衣服内や布団内に侵入することに伴う不快感を解消することが出来る。また、カットした髪が飛散することを防ぎ、カット後の掃除が簡単にできる介護用カットクロスのえりまき・カットラップである。
【背景技術】
【０００２】介護施設や病院、在宅介護の現場では、寝たきりの方の髪のカットに使用する専用のカットクロスが無く、通常のカットクロスを数枚併用し、工夫をしても衣服内やベッド内にカットした髪が浸入し、介護される側に不快感を与えてしまう。又カットして飛び散った髪の掃除など介護する者や介護される者にとっても肉体的、精神的な負担を強いるものであった。従来製品では、寝たきりの状態で使用できるカットクロスはなく、更に車いすでの使用と兼用できるカットクロスは存在しない。
【先行技術文献】
【特許文献】
【０００３】
【特許文献１】
【特許文献２】
【非特許文献】
【非特許文献】メイホー介護用刈布  ＮＯ．６５５４  カットクロス（車いす用）
【０００４】
【非特許文献１】ＤＥＥＤＳ  Ｄ−０００２カットクロス
【考案の概要】
【考案が解決しようとする課題】
【０００５】本考案は、理美容業者や介護する人が介護施設や病院、在宅などの現場において、寝たきりの方や車いすに座ったまま利用できる実用的なカットクロスが求められている中、その対応ができるカットクロスを提供することにより、介護を受ける方や介護をする方の肉体的及び精神的な負担の軽減と在宅介護において、家族の人でも髪のカットをし易くすることにより、経済的負担を解決しようとするものである。
【課題を解決するための手段】
【０００６】この考案は、介護ベッドの場合は、身体的な状況に合わせ上半身を少し起こした状態（布団に寝ている方の場合は、首に枕を当てた状態）でカットシートをかぶり、利用者の首にゴム入りの立ち襟を巻きつけ首の太さに合わせてゴムをしぼり、ストッパーで固定し、前身ごろのホックを留め、ベッド及び布団を覆うようにシートを広げる。カットされた髪の毛はシート本体に縫製されたポケットに溜められるので、衣服内やベッド内（布団内）に浸入することがなく、ベッド（布団）周りも汚すことがない。カットする者は、ポケットに溜まった髪を一箇所に集めて処分するだけで良いので掃除も簡単である。その後は、シートをたたむだけ、後片付けも楽である。このことにより、介護を受ける者や施術者及び介護人の肉体的、精神的な負担が軽減される。以上の手段により問題を解決している。
【考案の効果】
【０００７】本考案は、介護施設や病院など医療や福祉分野において、寝たきりの方や車椅子を利用する人のカットができるので、理美容業者が今まで困難であった分野のサービス提供が容易になり、出張美容・介護美容という分野で更なる需要と雇用を生み出すことが出来る。また、更に、在宅介護の家庭によっては髪のカットが楽になり、理美容業者に依頼しなくても済むために、経済的負担を軽減する効果がある。
【図面の簡単な説明】
【０００８】
【図１】本案件介護用カットクロスの上面図である。
【図２】本案件をベッドで使用、上半身を起こした状態の一実施例を示す図である。
【図３】本案件を車いすで使用、背もたれを倒したままの状態の一実施例を示す図である。
【考案を実施するための形態】
【０００９】介護用カットクロスは、ベッドや車いすに利用するために、静電気防止機能の化学繊維製の生地で出来た長さ約１４０ｃｍ、横幅約１２０ｃｍの四角形をしており、介護ベッドや車椅子を覆うことができる幅と長さがある。カットシートを利用者にかぶせ、ゴム入りの襟を首に巻きつけるようにして、ゴムを絞り、ストッパーで固定し、前身ごろのホックを留める。ベッドでの使用ではシートの裾に付けられたポケットが装着をした人の頭を中心にして連なる大きな正方形のポケットを形成する。それにより、カットした髪がポケットに収納され、ベッドや布団、周りを汚すことなく髪をカットできる。カット後は、ポケットに溜まった髪をまとめて除去、介護用シートを折りたたむ。車いすでの使用では、連なるポケットを外側に向けて完全に折り返すと車いすのステップに乗せた足の先まで覆うことができる。
【実施例】
【００１０】以下、図面に従って実施例を説明する。介護用ベッドの場合は、利用者の身体の状態に合わせ上半身を少し起こした状態（布団に寝ている方の場合は、首に枕を当てた状態）カットシートを利用者にかぶせ、ゴム入りの立ち襟２を利用者の首に巻きつけ、前身ごろのホック３ａをホック３ｂへ結合し、ゴム入りの襟を首の太さに合わせてゴム７をしぼり、ストッパー８で固定する。ホック４ａを４ｂ、５ａを５ｂ、６ａを６ｂの順に留めて装着し、ベッドを覆うように本体１を広げてスリット９を外側に深く折り返して装着を完了。カットされた髪はシートに付けられた回収ポケット１０に溜めることで衣服内やベッド内（布団内）に浸入することがなく、ベッド（布団）周りも汚すことがない。髪のカット終了後は、収納ポケット１０に溜まった髪を一箇所に集め、処分出来る。その後は、介護用カットシート本体１をたたむだけ、後片付けも楽である。車いすの場合は、連なる収納ポケット１０を外側に完全に折り返すと車いすのステップに乗せた足の先まで覆うことができる。
【産業上の利用可能性】
【００１１】介護施設や在宅介護現場、病院などの施設での利用が可能である。
【符号の説明】
【００１２】１介護用カットクロス本体
２ゴム入り立ち襟
３ａホック（オス）、３ｂホック（メス）、４ａホック（オス）、４ｂホック（メス）
５ａホック（オス）、５ｂホック（メス）、６ａホック（オス）、６ｂホック（メス）
７ゴム、８ゴムストッパー、９スリット、１０収納ポケット
【図１】
0003208615.tif 000003
【図２】
0003208615.tif 000004
【図３】
0003208615.tif 000005